(57)【要約】【課題】  排管の周囲を包囲するように形成されたトラップ部を有する小便器の排水口に設置され、勢いの強い排水や大量の排水と共に小便器排水口に流入する毛やゴミ等が排管に流れ込むことを効果的に防止するための、排水口フィルターを提供する。【解決手段】  排管の周囲を包囲するように形成されたトラップ部を有する小便器の排水を通過させる排水開口部と、前記排水開口部を区切るように配置されたフィルター部と、を備えた、前記排管の上端部に形成された小便器排水口に設けられる排水口フィルターであって、前記排水開口部は、前記フィルター部によって、複数の排水開口セル部に分割され、前記フィルター部は、樹脂材料で構成され、前記排水が前記フィルター部に衝突した際に、各前記排水開口セル部の開口面積が変わらないことを特徴とする。【選択図】  図６
2019199703.tif 000002
【特許請求の範囲】
【請求項１】
排管の周囲を包囲するように形成されたトラップ部を有する小便器の排水を通過させる排水開口部と、前記排水開口部を区切るように配置されたフィルター部と、を備えた、前記排管の上端部に形成された小便器排水口に設けられる排水口フィルターであって、
前記排水開口部は、前記フィルター部によって、複数の排水開口セル部に分割され、
前記フィルター部は、樹脂材料で構成され、
前記排水が前記フィルター部に衝突した際に、各前記排水開口セル部の開口面積が変わらないことを特徴とする排水口フィルター。
【請求項２】
前記排水口フィルターの高さ方向に垂直な平面方向に延在する平坦面を有し、
前記平坦面が前記小便器排水口の縁に接触することによって、前記排水口フィルターが前記小便器排水口に支持されることを特徴とする請求項１に記載の排水口フィルター。
【請求項３】
前記フィルター部は、フィルター天面部と、フィルター底面部と、前記フィルター天面部及び前記フィルター底面部を繋ぐフィルター側面部と、を有し、
前記平坦面は、前記高さ方向における前記フィルター天面部の下面に形成され、
前記フィルター底面部の深さは所定値（ｍｍ）以上であることを特徴とする請求項１又は２に記載の排水口フィルター。
【請求項４】
前記所定値は１０（ｍｍ）であることを特徴とする請求項３に記載の排水口フィルター。
【請求項５】
前記高さ方向下方に延びる脚部を備え、
前記脚部は、前記脚部から前記排水口フィルターの径方向外側に延びる突出部を備え、
該排水口フィルターが前記排水開口部に設置される設置状態において、前記突出部の径方向外側の端部が、前記小便器排水口を備える前記排管の内側に摩擦接触することを特徴とする請求項１又は２に記載の排水口フィルター。
【請求項６】
前記突出部は、前記突出部の径方向外側端部と、前記突出部の下端部と、を結ぶ斜面部を有することを特徴とする請求項５に記載の排水口フィルター。
【発明の詳細な説明】
【技術分野】
【０００１】
本発明は、排管の周囲を包囲するように形成されたトラップ部を有する小便器の排水口に設けられる排水口フィルターに関する。
【背景技術】
【０００２】
小便器の排水口に流れ込む毛やゴミ等は、排管を詰まらせる要因となり得る。ここで、強い化学薬品や高圧洗浄、トーラー等によって排管を清掃することで、排管のつまりを取り除くことができる。しかしながらこの方法では、小便器又は小便器の下流に設置された設備に悪影響を及ぼす可能性がある。
【０００３】
ここで、床置式小便器や最近の壁掛式小便器には、排管からの臭気を抑制するためのトラップ部が、排管の周囲を包囲するように形成されている。この構成を有する小便器の排管の詰まりを未然に防止すべく、排水口に流れ込む毛やゴミ等を捕えるフィルターを、小便器の排水口に設ける方法が広く知られている。
特許文献１には、熱接着性を有する合成樹脂で形成されている環状シート板に筒状ネット体の開口端縁部を熱接着することによって、環状シート板と筒状ネット体とを一体に接合した排水口フィルターが開示されている。この筒状ネット体によって、排水口に流れ込む毛やゴミ等が捕捉される。
【先行技術文献】
【特許文献】
【０００４】
【特許文献１】特許第５２５０４４７号明細書
【発明の概要】
【発明が解決しようとする課題】
【０００５】
しかしながら、特許文献１に記載の排水口フィルターを小便器排水口に設けた場合、排水口に勢いよく流入した排水や大量の排水によって、筒状ネット体の網目間隔が拡大する。このとき、排水と共に流入する毛やゴミ等が、広くなった網目をすり抜けて排管に流れ込む可能性がある。
【０００６】
そこで、本発明は、排管の周囲を包囲するように形成されたトラップ部を有する小便器の排水口に設置され、勢いの強い排水や大量の排水と共に小便器排水口に流入する毛やゴミ等が排管に流れ込むことを効果的に防止するための、排水口フィルターを提供することを目的とする。
【課題を解決するための手段】
【０００７】
上記課題を解決するために、本願発明に係る排水口フィルターは、（１）排管の周囲を包囲するように形成されたトラップ部を有する小便器の排水を通過させる排水開口部と、前記排水開口部を区切るように配置されたフィルター部と、を備えた、前記排管の上端部に形成された小便器排水口に設けられる排水口フィルターであって、前記排水開口部は、前記フィルター部によって、複数の排水開口セル部に分割され、前記フィルター部は、樹脂材料で構成され、前記排水が前記フィルター部に衝突した際に、各前記排水開口セル部の開口面積が変わらないことを特徴とする。
【０００８】
（２）前記排水口フィルターの高さ方向に垂直な平面方向に延在する平坦面を有し、前記平坦面が前記小便器排水口の縁に接触することによって、前記排水口フィルターが前記小便器排水口に支持されることを特徴とする（１）に記載の排水口フィルター。
【０００９】
（３）前記フィルター部は、フィルター天面部と、フィルター底面部と、前記フィルター天面部及び前記フィルター底面部を繋ぐフィルター側面部と、を有し、前記平坦面は、前記高さ方向における前記フィルター天面部の下面に形成され、前記フィルター底面部の深さは所定値（ｍｍ）以上であることを特徴とする（１）又は（２）に記載の排水口フィルター。
【００１０】
（４）前記所定値は１０（ｍｍ）であることを特徴とする（３）に記載の排水口フィルター。
【００１１】
（５）前記高さ方向下方に延びる脚部を備え、前記脚部は、前記脚部から前記排水口フィルターの径方向外側に延びる突出部を備え、該排水口フィルターが前記排水開口部に設置される設置状態において、前記突出部の径方向外側の端部が、前記小便器排水口を備える前記排管の内側に摩擦接触することを特徴とする（１）又は（２）に記載の排水口フィルター。
【００１２】
（６）前記突出部は、前記突出部の径方向外側端部と、前記突出部の下端部と、を結ぶ斜面部を有することを特徴とする（５）に記載の排水口フィルター。
【発明の効果】
【００１３】
本発明によれば、排水開口部を通過する排水の量や勢いに関わらず、排水開口セル部の開口面積が変わらない。その結果、勢いの強い排水や大量の排水と共に小便器排水口に流入する毛やゴミ等が排管に流れ込むことを、より抑制することが可能となる。
【図面の簡単な説明】
【００１４】
【図１】排水口フィルターが小便器排水口に設置された状態の床置式小便器の概略斜視図である。
【図２】図１に示す破線Ａで囲まれた領域をＹＺ平面で切断した、概略断面図である。
【図３】第１実施形態における排水口フィルターの概略斜視図である。
【図４】図３に示す排水口フィルターの平面図である。
【図５】図３に示す排水口フィルターの側面図である。
【図６】第２実施形態における排水口フィルターの概略斜視図である。
【図７】図６に示す排水口フィルターの平面図である。
【図８】図６に示す排水口フィルターの断面図である。
【発明を実施するための形態】
【００１５】
以下、図面を参照しながら、本実施形態における排水口フィルターについて説明する。図１は、排水口フィルターが小便器排水口に設置された状態を示す床置式小便器の概略斜視図である。図２は、図１に示す破線Ａで囲まれた領域をＹＺ平面で切断した、概略断面図である。Ｘ軸、Ｙ軸及びＺ軸は、互いに直交する３軸である。Ｘ軸は、床置式小便器の奥行方向を示す。Ｙ軸は、床置式小便器の幅方向を示す。Ｚ軸は、排水口フィルターの高さ方向を示す。図２に示すドット部は、排水口フィルターを示す。図２に示すハッチング部は、トラップ部に溜められた封水を示す。
図１及び図２を参照して、床置式小便器１０には、排管２の上端部に形成された小便器排水口２０の上方を覆う位置に目皿３が配置される。排管２に尿石が付着することを防止するために、目皿３の上には尿石付着防止剤４が載置される。床置式小便器１０には、排管２の周囲を包囲するようにトラップ部５が形成されており、トラップ部５と排管２の周面との間に、封水６が溜められている。封水６により、排管２から上がってくる臭気を抑制することができる。
【００１６】
床置式小便器１０において、尿や床置式小便器１０から流れる洗浄水等（以下、「排水」と称す）は、尿石付着防止剤４を溶解させた後、目皿３に設けられた流入開口部（不図示）及び目皿３とトラップ部５との間の隙間から、小便器排水口２０に流れ込む。この排水と共に、毛やゴミ等が小便器排水口２０に流れ込むことを防ぐために、小便器排水口２０に排水口フィルター１が装着される。
【００１７】
（第１実施形態）
図３は、第１実施形態における排水口フィルターの概略斜視図である。図４は、図３に示す排水口フィルターの平面図である。図５は、図３に示す排水口フィルターの側面図である。図３乃至図５を参照して、排水口フィルター１は、フィルター天面部１１と、フィルター側面部１２と、フィルター底面部１３と、を備える。ここで、フィルター側面部１２及びフィルター底面部１３は、請求項１における「フィルター部」に相当する。
【００１８】
フィルター天面部１１は、ＸＹ平面において環状に形成されている。フィルター底面部１３は、同心円状に形成された複数の環状部１３０と、排水口フィルターの径方向において隣り合う２つの環状部１３０を接続する複数の接続部１３７と、を備える。複数の接続部１３７は、排水口フィルター１の周方向に等間隔に形成される。フィルター天面部１１の内径は、複数の環状部１３０のうち排水口フィルター１の径方向の最も外側に配置される環状部の外径より、大きい。フィルター天面部１１の内周面と、複数の環状部１３０のうち径方向の最も外側に配置される環状部の外周面と、はフィルター側面部１２を介して繋がっている。フィルター側面部１２は、Ｚ軸方向下方に向かうにしたがって縮径する形状を有する。
【００１９】
本実施形態において、フィルター底面部１３は、第１環状部１３１と、第１環状部１３１を包囲して形成された第２環状部１３２と、第２環状部１３２を包囲して形成された第３環状部１３３と、複数の第１接続部１３４と、複数の第２接続部１３５と、から構成される。第１環状部１３１、第２環状部１３２及び第３環状部１３３は、ＸＹ平面に配置されている。第１接続部１３４によって第１環状部１３１と第２環状部１３２とが接続されており、第２接続部１３５によって第２環状部１３２と第３環状部１３３とが接続されている。図４に示すように、複数の第１接続部１３４及び複数の第２接続部１３５はそれぞれ、排水口フィルター１の周方向に等間隔に形成されている。
【００２０】
また、本実施形態において、フィルター側面部１２は、２つの第４環状部１２０と、複数の第３接続部１４と、から構成される。第４環状部１２０は、Ｚ軸方向下方に向かうにしたがって縮径しており、各第４環状部１２０はＺ軸方向に離隔して配置されている。Ｚ軸方向上方に位置する第４環状部１２０ａの下端部の径は、Ｚ軸方向下方に位置する第４環状部１２０ｂの上端部の径より大きい。
【００２１】
複数の第３接続部１４は、それぞれ略Ｓ字形状を有しており、フィルター天面部１１の内周面から排水口フィルター１の径方向内側に延びる上側屈曲部１４１と、上側屈曲部１４１からＺ軸方向下方に延びるにしたがって径方向内側に接近するストレート部１４２と、ストレート部１４２のＺ軸方向下端部から径方向内側に延びてフィルター底面部１３の第３環状部１３３の外周面に接続された下側屈曲部１４３と、を備える。すなわち、フィルター天面部１１と、フィルター底面部１３と、が複数の第３接続部１４を介して接続されている。第３接続部１４（ストレート部１４２）には、径方向外側からフィルター側面部１２が接触して固定されている。図４に示すように、複数の第３接続部１４は、排水口フィルター１の周方向に等間隔に形成されている。
【００２２】
フィルター側面部１２には、フィルター天面部１１とフィルター底面部１３とに挟まれて、排水開口部１５が形成されている。排水開口部１５は、排水口フィルター１の周方向において第４環状部１２０によって区切られている。また、排水開口部１５は、径方向において複数の第３接続部１４によって区切られている。これにより、排水開口部１５は、複数の排水開口セル部１５ａに分割されている。ここで、フィルター側面部１２のフィルタリング能力は、隣接する第４環状部１２０の間隔や、排水口フィルター１の周方向において第３接続部１４が配置される間隔に左右される。また、これらの間隔が過度に狭くなると、通水面積の低下により排水が排管２に流入しにくくなり、オーバーフローを起こすおそれがある。そこで、予め実験などを通じて、毛などを捕捉し得るフィルタリング能力と、スムーズな排水とを両立し得る適宜の間隔を求めておくことが望ましい。
【００２３】
フィルター底面部１３は、第３環状部１３３の内側に形成された排水開口部１３６を備える。排水開口部１３６は、周方向において、第１環状部１３１、第２環状部１３２及び第３環状部１３３によって区切られている。また、排水開口部１３６は、径方向において、複数の第１接続部１３４及び複数の第２接続部１３５によって区切られている。これにより、排水開口部１３６は、複数の排水開口セル部１３６ａに分割されている。ここで、フィルター底面部１３のフィルタリング能力は、隣接する第１環状部１３１（第２環状部１３２）及び第２環状部１３２（第３環状部１３３）の間隔や、第１接続部１３４及び第２接続部１３５の周方向における配置間隔に左右される。また、これらの間隔が過度に狭くなると、通水面積の低下により排水が排管２に流入しにくくなり、オーバーフローを起こすおそれがある。そこで、予め実験などを通じて、毛などを捕捉し得るフィルタリング能力と、スムーズな排水とを両立し得る適宜の間隔を求めておくことが望ましい。
【００２４】
排水口フィルター１に流入した排水は、フィルター側面部１２及びフィルター底面部１３に衝突して、排水と共に流入した毛やゴミ等が捕捉される。その後、排水は、排水開口部１５及び１３６を通過して排水口フィルター１の外部に排出される。
【００２５】
フィルター側面部１２及びフィルター底面部１３は、排水口フィルター１に流入する排水の水圧に対して十分な剛性を有する樹脂材料で構成される。この構造によれば、排水がフィルター側面部１２及びフィルター底面部１３に衝突しても、排水の流量や勢いに関わらず、排水開口セル部１５ａ及び１３６ａの開口面積が変化しない。そのため、勢いの強い排水や大量の排水と共に小便器排水口に流入する毛やゴミ等が排管２に流れ込むことをより抑制できる。フィルター側面部１２及びフィルター底面部１３は例えば、ＰＰ（ポリプロピレン）で構成される。
【００２６】
Ｚ軸方向におけるフィルター天面部１１の裏面に形成された平坦面１１０を、上方から小便器排水口２０に接触させることにより、排水口フィルター１が小便器排水口２０に支持されて設置される。この平坦面１１０は、ＸＹ平面方向に延在している。この設置方法によれば、排水口フィルター１がＺ軸方向下方に落下することが防止される。そのため、排水口フィルター１に流入する排水の流量が多い場合又は流入する排水の勢いが強い場合であっても、排水口フィルター１が排管２に流れ込むことが抑制される。
【００２７】
排水口フィルター１が小便器排水口２０に設置された設置状態において、フィルター底面部１３が排管２の内側に配置される。この構成によって生じる効果は、以下の通りである。
排水と共に小便器排水口２０に流れ込む毛やゴミ等を捕捉する方法として、小便器排水口２０の縁にフィルターネットを吊持させ、排管２の内側にフィルターネットを設置する方法が考えられる。しかしながら、この方法では、フィルターネットから毛やゴミ等を除去する作業に労力がかかるため、フィルターネットのメンテナンス作業が煩雑となる。そこで、本発明者らは、フィルターネットに代えて、小便器排水口２０に扁平状の排水口フィルターを載置する方法を検討した。
ここで、上述の通り、床置式小便器１０では、目皿３に設けられた流入開口部（不図示）及び目皿３とトラップ部５との間の隙間から、排水が流れ込む。この排水は、トラップ部５に流れ込んで、封水６の水位を上昇させる。小便器排水口２０に扁平状の排水口フィルターを載置する場合において、封水６の水位が小便器排水口２０の縁に達すると、封水６の浮力により、排水口フィルターが小便器排水口２０から浮き上がる場合があった。
排水口フィルターの浮き上がりを防止するためには、排水口フィルターを重くすることが有効である。排水口フィルターを重くする方法として、複数の環状部１３０や複数の接続部１３７の幅や径を大きくする方法が考えられる。この方法によれば、排水口フィルターの重量化が達成されるが、排水開口部の開口面積が減少する。一方、所望の排水能力を有する排水口フィルターを製造するためには、排水開口部の開口面積を適切に設計する必要がある。したがって、複数の環状部１３０や複数の接続部１３７の幅や径を大きくする場合、排水開口部の開口面積が過度に減少し、所望の排水能力を得られない可能性がある。
そこで、本発明者らは、適切な開口面積を維持しつつ、封水６の浮力による浮き上がりを防止可能な排水口フィルターについて、排水口フィルターの重心位置をＺ軸方向下方に下げることを基本思想として、鋭意検討を行った。その結果、排水口フィルターの一部を高さ方向下方に押し下げた構成（排水口フィルター１がフィルター天面部１１及びフィルター底面部１３を備える構成）に想到した。そして、フィルター底面部１３の深さを所定値以上に設定することにより、排水口フィルター１が封水６の浮力に抗することを知見した。
すなわち、フィルター天面部１１とフィルター底面部１３とを備えた排水口フィルター１において、フィルター底面部１３の深さを所定値以上とすることにより、排水口フィルター１がＺ軸方向上方に浮き上がってフィルター天面部１１が小便器排水口２０から離れることを抑制できる。
【００２８】
ここで、前記所定値は、小便器排水口の径や洗浄水の量等に左右されるため、床置式小便器の種類ごとに相違する。そこで、本発明者らは、鋭意検討を重ね、フィルター底面部１３の深さが１０（ｍｍ）以上である場合には、複数種類の床置式小便器において、排水口フィルター１のＺ軸方向上方への浮き上がりを抑制できることを知見した。
また、本発明者らは、フィルター底面部１３の深さが１０（ｍｍ）以上である場合には、排水口フィルター１がＺ軸方向上方に浮き上がってフィルター天面部１１が小便器排水口２０から離れることが、より抑制されることを知見した。
【００２９】
（第２実施形態）
図６は、第２実施形態における排水口フィルターの概略斜視図である。図７は、図６に示す排水口フィルターの平面図である。図８は、図６に示す排水口フィルターの断面図である。排水口フィルター１は、中空円筒状の外筒１６と、環状に形成された環状部１７と、格子部１８（請求項１における「フィルター部」に相当）と、脚部１９と、を備える。環状部１７は、外筒１６の内周面の下端部から、排水口フィルター１の径方向内側に延びて形成されている。
【００３０】
格子部１８は、複数の第１格子部１８１と、複数の第２格子部１８２と、から構成される。第１格子部１８１及び第２格子部１８２は、外筒１６の内周面から延びており、互いに直交している。本実施形態において、第１格子部１８１はＸ軸に平行に延びており、第２格子部１８２はＹ軸に平行に延びている。複数の第１格子部１８１は、Ｙ軸方向に等間隔に配置されている。複数の第２格子部１８２は、Ｘ軸方向に等間隔に配置されている。
【００３１】
脚部１９は、格子部１８からＺ軸方向下方に延びている。脚部１９は、平面視における排水口フィルター１の中心を対称点として、互いに対称な位置に２つ配置されている。本実施形態において、脚部１９は、ＺＸ平面に形成されてＺ軸方向下方に延びる略長方形状の第１脚部１９１と、ＹＺ平面に形成されてＺ軸方向下方に延びる略長方形状の第２脚部１９２と、から構成される。第１脚部１９１と第２脚部１９２とは、互いに直交して繋がっている。第２脚部１９２の径方向外側の縁部は、Ｘ軸方向における第１脚部１９１の中央部と繋がっている。すなわち、Ｚ軸方向視において、第１脚部１９１及び第２脚部１９２は略Ｔ字状を形成する。
【００３２】
脚部１９（第２脚部１９２）のＺ軸方向下端部１９ａから、排水口フィルター１の径方向外側に向かって、突出部１９３が突出している。突出部１９３の径方向外側端部１９３ａは、環状部１７（平坦面１７１）の内径より、排水口フィルター１の径方向の外側に配置されている。突出部１９３は、排水口フィルター１を小便器排水口２に設置した際に、排管２の内周面に突出部１９３の径方向外側端部１９３ａが摩擦接触するように形成されている。突出部１９３は、突出部１９３の径方向外側端部１９３ａと、突出部１９３の下端部１９３ｂと、を結ぶ斜面部１９３ｃを有する。
【００３３】
環状部１７によって排水開口部１７０が形成されている。排水開口部１７０は、格子部１８（第１格子部１８１及び第２格子部１８２）によって区切られている。これにより、排水開口部１７０は、複数の排水開口セル部１７０ａに分割される。排水口フィルター１に流入した排水は、格子部１８に衝突して、共に流入した毛やゴミ等が捕捉される。その後、排水は、排水開口部１７０を通過して排水口フィルター１の外部に排出される。
【００３４】
ここで、格子部１８のフィルタリング能力は、排水開口セル部１７０ａのサイズに左右される。また、このサイズが過度に小さくなると、通水面積の低下により排水が排管２に流入しにくくなり、オーバーフローを起こすおそれがある。そこで、予め実験などを通じて、毛などを捕捉し得るフィルタリング能力と、スムーズな排水とを両立し得る適宜のサイズを求めておくことが望ましい。
【００３５】
格子部１８は、排水口フィルター１に流入する排水の水圧に対して十分な剛性を有する樹脂材料で構成される。この構造によれば、排水が格子部１８に衝突しても、排水の流量や勢いに関わらず、排水開口セル部１７０ａの開口面積が変化しない。そのため、勢いの強い排水や大量の排水と共に小便器排水口に流入する毛やゴミ等が排管に流れ込むことをより抑制できる。格子部１８は例えば、ＰＰ（ポリプロピレン）で構成される。
【００３６】
Ｚ軸方向における環状部１７の裏面に形成された平坦面１７１を、上方から小便器排水口２０に接触させることにより、排水口フィルター１が小便器排水口２０に支持されて設置される。この平坦面１７１は、ＸＹ平面に延在している。この設置方法によれば、排水口フィルター１がＺ軸方向下方に落下することが防止される。そのため、排水口フィルター１に流入する排水の流量が多い場合又は流入する排水の勢いが強い場合であっても、排水口フィルター１が排管２に流れ込むことが抑制される。
【００３７】
第２実施形態において、排水口フィルター１を小便器排水口２に設置する設置方法について、図１、２、６乃至８を参照して、以下に説明する。排水口フィルター１が備える平坦面１７１を小便器排水口２０の縁に対向させると共に、排水口フィルター１のＺ軸方向に延びる中心軸が小便器排水口２０の中心軸と一致する位置に、排水口フィルター１を配置する。前記位置に配置された排水口フィルター１を、Ｚ軸方向下方に押し下げ、平坦面１７１を小便器排水口２０の縁に接触させることにより、排水口フィルター１が小便器排水口２に設置される。
ここで、上述の通り、突出部１９３の径方向外側端部１９３ａは、環状部１７（平坦面１７１）の内径より、排水口フィルター１の径方向の外側に配置されている。また、突出部１９３は、突出部１９３の径方向外側端部１９３ａと、突出部１９３の下端部１９３ｂと、を結ぶ斜面部１９３ｃを有する。そのため、排水口フィルター１をＺ軸方向下方に押し下げる過程は、（ａ）斜面部１９３ｃが小便器排水口２０の縁に当接するまでの過程、（ｂ）斜面部１９３ｃが小便器排水口２０の縁に当接してから、突出部１９３の径方向外側端部１９３ａが排水口２の縁に当接するまでの過程、（ｃ）突出部１９３の径方向外側端部１９３ａが排水口２の縁に当接してから、平坦面１７１が小便器排水口２０の縁に接触するまでの過程に分割される。
（ａ）において斜面部１９３ｃが小便器排水口２０の縁に当接した後、（ｂ）の過程においては、斜面１９３ｃが小便器排水口２０の縁に対して摺動すると共に、脚部１９が径方向内側に弾性変形する。
（ｃ）の過程においては、径方向外側に復帰する弾性力が脚部１９に働くため、突出部１９３の径方向外側端部１９３ａが、排管２の内周面に摩擦接触しながら、排管２の内周面に沿ってＺ軸方向下方に摺動する。
【００３８】
突出部１９３の径方向外側端部１９３ａが排管２の内周面に摩擦接触することにより、Ｚ軸方向上方の移動に対する摩擦力が働く。
そのため、排水口フィルター１が小便器排水口２０から外れることを防止できる。なお、排管２が排水不良を起こして排管２内に水が溜まり、その水位が小便器排水口２０の縁まで達すると、排管２内の排水の浮力が排水口フィルター１に働く。この場合であっても、上述の構成によれば、排水口フィルター１が水の浮力に抗し、排水口フィルター１がＺ軸方向上方に浮き上がることが防止される。
また、排水口フィルター１を小便器排水口２０に設置する際及び小便器排水口２０から取り外す際、ソフトスケールを除去することができる。ソフトスケールは、細菌が繁殖しやすい箇所に付着するため、ソフトスケールを除去することで、細菌の繁殖を抑制することができる。
【００３９】
（実施例）
フィルター底面部の深さを種々変更して、床置式小便器において洗浄処理を行った場合に、排水口フィルターが小便器排水口から浮き上がるかを検討した。具体的には、フィルター底面部の深さを種々変更した排水口フィルターを床置式小便器の排水口に設置した状態で、所定量の排水を小便器排水口に流入させた。そして、排水を小便器排水口に流入させている間に、排水口フィルターが小便器排水口から浮き上がらなかった場合には○、排水口フィルターが小便器排水口から浮き上がった場合には×と評価した。この評価は、床置式小便器の目皿を取り除いたうえで、目視によって行った。各排水口フィルターを用いる場合において、設置対象となる小便器排水口及び小便器排水口に流入させる排水の量は同一とする。
表１に、上記検討に用いた各排水口フィルターにおけるフィルター底面部の深さと、各排水口フィルターの評価結果を示す。
【００４０】
【表１】
2019199703.tif 000003
【００４１】
上記表１より、フィルター底面部１３の深さが１０ｍｍ以上のとき、排水口フィルター１は浮き上がらず、フィルター天面部１１が小便器排水口２０から離れなかった。これは、フィルター底面部１３の深さを１０ｍｍ以上とすることにより、排水口フィルター１の重心位置がＺ軸方向下方の適切な位置に下がり、封水の浮力に抗することができたためであると考えられる。
【００４２】
（変形例１）
第１実施形態において、第４環状部１２０は２つ配置されているが、これに限られない。第４環状部１２０は、１つのみ配置されてよく、３つ以上配置されてもよい。
【００４３】
（変形例２）
第１実施形態において、排水口フィルター１は、床置式小便器１０における小便器排水口２０に設置されている。しかしながら、これに限られず、排水口フィルター１は、トラップ部５が形成された壁掛式小便器における小便器排水口に設置されてもよい。
【符号の説明】
【００４４】
１：排水口フィルター  ２：排管  １０：床置式小便器  １１：フィルター天面部  １２：フィルター底面部  １３：フィルター底面部  １５、１３６、１７０：排水開口部  １５ａ、１３６ａ、１７０ａ：排水開口部  ２０：小便器排水口  １１０、１７１：平坦面  １９：脚部  １９３：突出部  １９３ａ：突出部の径方向外側の端部  １９３ｂ：突出部の下端部  １９３ｃ：斜面部
【図１】
2019199703.tif 000004
【図２】
2019199703.tif 000005
【図３】
2019199703.tif 000006
【図４】
2019199703.tif 000007
【図５】
2019199703.tif 000008
【図６】
2019199703.tif 000009
【図７】
2019199703.tif 000010
【図８】
2019199703.tif 000011